(57)【要約】
【課題】コンクリ−ト側溝の左右の内面に枠材を、ほぼワンタッチの操作で、簡単に仮留めできる側溝仮留め装置の提供
【解決手段】この考案の側溝仮留め装置は、枠材２を装着、支持する支持部材３を裏面側の下端部に設け、正面側の中央下部に、対向して突出する鈎状の拘束片４，４’を設けてなる枠材支持部材Ａと、枠材支持部材Ａの拘束片４，４’が形成する間隙部にスライドして装着可能な寸法の平板６を先端に固定したネジ棒７，７’に、ナット８，８’を螺着するとともに、筒片９，９’を挿入し、一方の筒片９’に、ネジ棒７，７’に嵌着可能な寸法の短尺半割杆１０の先端部を回動可能に取り付け、他方の筒片９に、短尺半割杆１０に嵌着可能な寸法の長尺半割杆１１の先端部を回動可能に取り付け、短尺半割杆１０の後端部を、長尺半割杆１１の中間部内側に回動可能に取り付けている。
【選択図】 図１
0003101236.tif 000002
【実用新案登録請求の範囲】
【請求項１】
先端部に側溝壁に引掛ける鈎（１）を設け、枠材（２）を装着、支持する支持部材（３）を裏面側の下端部に設け、正面側の中央下部に、上下に間隔をおき、対向して突出する鈎状の拘束片（４，４’）を設け、中央上部にボルト挿通孔（５）を設けてなる枠材支持部材（Ａ）と、該枠材支持部材（Ａ）の拘束片（４，４’）が形成する間隙部に横方向からスライドして装着可能な寸法の平板（６）を先端に固定したネジ棒（７，７’）に、ナット（８，８’）を螺着するとともに、筒片（９，９’）を挿入し、該筒片（９，９’）の一方の筒片（９’）に、前記ネジ棒（７，７’）に嵌着可能な寸法の短尺半割杆（１０）の先端部を回動可能に取り付け、前記筒片（９，９’）の他方の筒片（９）に、前記短尺半割杆（１０）に嵌着可能な寸法の長尺半割杆（１１）の先端部を回動可能に取り付け、前記短尺半割杆（１０）の後端部を、前記長尺半割杆（１１）の中間部内側に回動可能に取り付けてなる伸縮押圧部材（Ｂ）とからなることを特徴とする側溝仮留め装置
【考案の詳細な説明】
【技術分野】
【０００１】
この考案は側溝仮留め装置に関するものである。
【背景技術】
【０００２】
高速道路等の道路脇に側溝を構築する場合、予め掘削した溝に既設のコンクリ−ト側溝を配設し、接続作業を終了した後、土壌面が降雨などで流失しないように、コンクリ−ト側溝の両側壁を含め、土壌面上に、約１０ｃｍ厚程度ののコンクリトを打設している。
【０００３】
このとき、コンクリ−ト側溝の両側の内壁面に枠材を仮留めしているが、従来はコンクリ−ト側溝の左右の内面に当接して配設した左右二枚の枠材の間に、所定寸法に切断した木材を嵌着して枠材をコンクリ−ト側溝の左右の内面に仮留めしていたので、次のような問題点があった。
【０００４】
（１）仮留め作業が面倒であり、時間がかかる。
（２）使用済みの木材は廃棄され、産業廃棄物になるので、処理費がかかる。
（４）資源の浪費になる。
【０００５】
【特許文献１】実開平４−８４４８２号公報
【考案の開示】
【考案が解決しようとする課題】
【０００６】
この考案は背景技術で記述した問題点を除去するためになされたもので、コンクリ−ト側溝の左右の内面に枠材を、ほぼワンタッチの操作で、簡単に仮留めできる側溝仮留め装置の提供を目的とするものである。
【課題を解決するための手段】
【０００７】
この考案の側溝仮留め装置は、先端部に側溝壁に引掛ける鈎を設け、先端部に側溝壁に引掛ける鈎を設け、枠材を装着、支持する支持部材を裏面側の下端部に設け、正面側の中央下部に、上下に間隔をおき、対向して突出する鈎状の拘束片を設け、中央上部にボルト挿通孔を設けてなる枠材支持部材と、該枠材支持部材の拘束片が形成する間隙部に横方向からスライドして装着可能な寸法の平板を先端に固定した二本のネジ棒に、それぞれナットを螺着するとともに、筒片を挿入し、該筒片の一方の筒片に、前記ネジ棒に嵌着可能な寸法の短尺半割杆の先端部を回動可能に取り付け、他方の筒片に、前記短尺半割杆に嵌着可能な寸法の長尺半割杆の先端部を回動可能に取り付け、前記短尺半割杆の後端部を、前記長尺半割杆の中間部内側に回動可能に取り付けてなる伸縮押圧部材とからなることを特徴とするものである。
【考案の効果】
【０００８】
この考案は上述のように構成されているので、次のような効果を呈する。
（１）コンクリ−ト側溝の左右の内面に枠材を、ほぼワンタッチの操作で、簡単に仮留めできる。
（２）仮留め作業を短縮できる。
（３）枠材の取外し作業が簡単である。
（４）内巾の異なる多種サイズのコンクリ−ト側溝に対応できる。
【考案を実施するための最良の形態】
【０００９】
コンクリ−ト側溝の左右の内面に枠材を、ほぼワンタッチの操作で、簡単に仮留させるという目的を、枠材支持部材と伸縮押圧部材を組み合わせることで実現できた。
【実施例】
【００１０】
この考案の実施の一例を図面を参照しながら説明する。枠材支持部材Ａは、図１に示すように、先端部に側溝壁に引掛ける鈎１を設け、枠材２を装着、支持する支持部材３を裏面側の下端部に設け、正面側の中央下部に、上下に間隔をおき、対向して突出する鈎状の拘束片４，４’を設け、中央上部にボルト挿通孔５を設けている。
【００１１】
なお、通常、枠材２の巾は約２０ｃｍで、支部材３から約１０ｃｍだけ上方へ突出するようにしている。図１（ａ）は枠材支持部材Ａの表面が平面の場合を示し、図１（ｂ）は枠材支持部材Ａを補強するために、表面側の中央部をコの字状に突出させている。
【００１２】
枠材２は、図１の点線で示すように、支持部材３に装着、支持されている。鈎１の出っ張りは、打設コンクリ−ト層から容易に離脱できるように、約１ｃｍ程度に設計している。
【００１３】
伸縮押圧部材Ｂは、図２に示すように、枠材支持部材Ａの拘束片４，４’が形成する間隙部に横方向からスライドして装着可能な寸法の平板６を先端に固定したネジ棒７，７’に、ナット８，８’を螺着するとともに、筒片９，９’を挿入し、筒片９，９’の一方の筒片９’に、ネジ棒７，７’に嵌着可能な寸法の短尺半割杆１０の先端部を回動可能に取り付けて、筒片９，９’の他方の筒片９に、短尺半割杆１０に嵌着可能な寸法の長尺半割杆１１の先端部を回動可能に取り付け、短尺半割杆１０の後端部を、長尺半割杆１１の中間部内側に回動可能に取り付けている。
【００１４】
図２（ａ）は、長尺半割杆１１を上方へ引き上げて、ネジ棒７，７’を内側に後退させた状態を示している。このとき、ネジ棒７，７’の平板６，６間の間隔は、狭くなっている。なお、図２（ａ）において、長尺半割杆１１の側面に点線で図示したものは、長尺半割杆１１の押し下げ、押し上げを容易にする目的と補強を目的とするヒレａで、必要に応じて設置してもよい。
【００１５】
図２（ｂ）は、長尺半割杆１１を下方へ押し下げ、長尺半割杆１１を短尺半割杆１０、ネジ棒７，７’に嵌着させ、直線状にすることにより、筒片９，９’を介してナット８，８’を左右に押し進めて前進させた状態を示している。このとき、ネジ棒７，７’の平板６，６間の間隔は広くなっている。
【００１６】
すなわち、ナット８，８’の螺着位置を適宜に前進又は後退させることによって、長尺半割杆１１を下方へ押し下げ直線状にしたときのネジ棒７，７’の平板６，６間の間隔を調整することができる。したがって、コンクリ−ト側溝１２の巾に合わせて、予めナット８，８’の螺着位置を適宜に前進又は後退しておくと、多サイズのコンクリ−ト側溝１２に対応することができる。
【００１７】
実施に際しては、図３に示すように、短尺半割杆１０及び長尺半割杆１１を上方へ押し上げた状態で、枠材支持部材Ａの拘束片４，４’が形成する間隙部に横方向からスライドして、伸縮押圧部材Ｂの平板６を装着し、枠材支持部材Ａと伸縮押圧部材Ｂを連結させ、枠材支持部材Ａに枠材２を装着する。
【００１８】
ついで、長尺半割杆１１を下方へ押し下げ、直線状にし、枠材支持部材Ａの支持部材３の先端の鈎１をコンクリ−ト側溝１２の左右の側溝壁に引掛ける枠材２を固定する。
【００１９】
この状態で、図４に示すように、枠材２のレベルまでコンクリ−ト１３を打設する。このとき、路肩の一方が傾斜している場合には、打設したコンクリ−ト１３が流失しないように、例えば、図４に示すように、傾斜面に型枠１４をあてがい、型枠１４を型枠固定具１５で固定する。
【００２０】
例えば、図４に示すように、Г型の型枠固定具１５では、水平ボルト１６を枠材支持部材Ａのボルト挿通孔５を挿通させ、図４において、右側の枠材支持部材Ａの挿通孔５の位置でナット１７と蝶ネジ１８によって、枠材支持部材Ａに固定するるとともに、垂直ボルト１９の先端に回動可能に取り付けた押さえ具２０によって、型枠１４を傾斜面に押さえつける。
【００２１】
コンクリ−ト１３が固まり、枠材２を除去する場合には、長尺半割杆１１を上方へ押し上げることによって、枠材２、枠材支持部材Ａ、伸縮押圧部材Ｂを同時にほぼワンタッチの操作で、コンクリ−ト側溝１２から逃がすことができる。
【産業上の利用可能性】
【００２２】
コンクリ−ト側溝だけなく、コンクリ−ト壁等の構築作業において、枠材を固定するための仮留め装置としても利用することが可能である。
【図面の簡単な説明】
【００２３】
【図１】枠材支持部の実施の一例を示す概略斜視図
【図２】伸縮押圧部材の実施の一例を示す側面図
【図３】枠材支持部と伸縮押圧部材を連結して、コンクリ−ト側溝に装着しようとする状態を示す側面図
【図４】枠材、枠材支持部、伸縮押圧部材をコンクリ−ト側溝に装着した状態を示す側面図
【符号の説明】
【００２４】
１ 鈎
２ 枠材
３ 支持部材
４，４’鈎状の拘束片
５ ボルト挿通孔
６ 平板
７，７’ネジ棒
８，８’ナット
９，９’筒片
１０ 短尺半割杆
１１ 長尺半割杆
１２ コンクリ−ト側溝
１３ コンクリ−ト
１４ 型枠
１５ 型枠固定具
１６ 水平ボルト
１７ ナット
１８ 蝶ネジ
１９ 垂直ボルト
２０ 押さえ具
Ａ 枠材支持部
Ｂ 伸縮押圧部材
ａ ヒレ
【図１】
0003101236.tif 000003
【図２】
0003101236.tif 000004
【図３】
0003101236.tif 000005
【図４】
0003101236.tif 000006